(57)【要約】【課題】印刷スクリーン版の作り込み精度が悪い又は印刷スクリーン版の伸びによって、ペースト吐出部がズレてしまい、カラーフィルターのニジミ又は混色不具合が発生する。又、精度を上げると、製版歩留が悪化する。【解決手段】ブラックストライプ５を形成後、カラーフィルターを形成に使用する印刷スクリーン版６は、メッシュ７をペースト吐出部８が開いた状態でエマルジョン９が塗布され、更に印刷スクリーン版６の前面基板１と接する下面に、ブラックストライプ５の間の非印刷セル間凹部１０に合致するように凸部パターン１１を設けている。凸部パターン１１は非印刷セル間凹部１０よりも小さくしている。上記凸部パターン１１を設けることで、従来の位置決めマーカーによる全体的な位置決めに加え、ブラックストライプ５の間の凹部１０を活用した入れ子方式により位置ズレを防止する。【選択図】      図１
2004202778.tif 000002
【特許請求の範囲】
【請求項１】
スクリーン下面に、ブラックストライプ間の凹部に合致する凸型パターンを形成したことを特徴とするカラーフィルター印刷スクリーン。
【請求項２】
前記ブラックストライプを形成後、カラーフィルターを形成する工程にて使用する前記印刷スクリーン版は、ペースト吐出部が開いた状態でエマルジョンが塗布され、更に前記印刷スクリーン版の前面基板と接する下面に、前記ブラックストライプの間の非印刷セル間凹部に合致するように凸部パターンを設けていることを特徴とする請求項１記載のカラーフィルター印刷スクリーン。
【請求項３】
前記凸部パターンは前記非印刷セル間凹部よりも小さくしていることを特徴とする請求項１または２記載のカラーフィルター印刷スクリーン。
【請求項４】
前記凸部が前記ブラックストライプの一部に対応して形成されていることを特徴とする請求項１乃至３記載のいずれか１項目のカラーフィルター印刷スクリーン。
【請求項５】
前記凸部が前記ブラックストライプの両端にのみあるいは離散的に対応して形成されていることを特徴とする請求項４記載のカラーフィルター印刷スクリーン。
【請求項６】
全体的位置決めマーカーもあわせ持つことを特徴とする請求項１乃至５記載のいずれか１項目のカラーフィルター印刷スクリーン。
【発明の詳細な説明】
【０００１】
【発明の属する技術分野】
本発明はカラーフィルター印刷スクリーンに関し、特に位置決め精度向上を図ったカラーＰＤＰ製造用のカラーフィルター印刷スクリーンに関する。
【０００２】
【従来の技術】
従来、カラープラズマディスプレーパネルの前面基板の製造過程におけるカラーフィルター形成時に使用する印刷スクリーン版は、印刷スクリーン版の基板と接する下面にブラックストライプ間の非印刷セル間凹部に合致するように凸部を形成したことが重要な要素の一つとなっている。
【０００３】
しかし図２に示す、前面基板及び印刷スクリーン版の断面図のように通常前面基板のカラーフィルター形成時は、前面基板１と印刷スクリーン版６を位置決めマーカーによる全体的な位置決めを実施し、ペースト吐出部８をブラックストライプ５に仕切られた個別セルの位置を予測し印刷を実施していた。同様の先行技術が特許文献１に開示されている。
【０００４】
【特許文献１】
特開平８−３０４８１０号公報（第２−３頁、図１）
【０００５】
【発明が解決しようとする課題】
上述した従来のカラーＰＤＰ製造用のカラーフィルター印刷スクリーンにおいては、印刷位置決めを前面基板１の全体で実施しているため、個別セルについての位置決めは印刷スクリーン版の作り込み精度のみに頼ることになる。したがって、印刷スクリーン版６の作り込み精度が悪い又は印刷スクリーン版の伸びによって、ペースト吐出部８がズレてしまい、カラーフィルターのニジミ又は混色不具合が発生してしまう。又、印刷スクリーン版６の精度を上げると、製版歩留が悪化するという不具合もある。したがって、本発明の主な目的は、カラープラズマディスプレーパネル前面基板の製造工程において、カラーフィルターのニジミ又は混色不具合発生の少ないカラーフィルター印刷用スクリーン版を提供する事にある。
【０００６】
【課題を解決するための手段】
本発明のカラーフィルター印刷スクリーンは、スクリーン下面に、ブラックストライプ間の凹部に合致する凸型パターンを形成したことを特徴とするカラーフィルター印刷スクリーン。また、前記ブラックストライプを形成後、カラーフィルターを形成する工程にて使用する前記印刷スクリーン版は、ペースト吐出部が開いた状態でエマルジョンが塗布され、更に前記印刷スクリーン版の前面基板と接する下面に、前記ブラックストライプの間の非印刷セル間凹部に合致するように凸部パターンを設けていることを特徴とする。また、前記凸部パターンは前記非印刷セル間凹部よりも小さくしていることを特徴とする。また、前記凸部が前記ブラックストライプの一部に対応して形成されていることを特徴とする。
【０００７】
【発明の実施の形態】
次に、本発明について図面を参照して説明する。図１は本発明の実施形態の構成を示す概略図である。図１を参照すると、本発明の一実施形態としてのカラープラズマディスプレーパネルのカラーフィルター形成時の前面基板断面図及び本発明によるスクリーン版の断面図が示されている。
【０００８】
前面基板１は、ガラス基板２の上にＳｎＯ２又はＩｎ２Ｏ３等及びＡｇからなる電極３が所望のパターンで形成され、更に透明誘電体層４及び感光性ペーストをスクリーン印刷法にて塗布し、露光、現像にてブラックストライプ５が所望の形状で形成されている。
【０００９】
本発明において、ブラックストライプ５を形成後、カラーフィルターを形成する工程にて使用する印刷スクリーン版６は、メッシュ７をペースト吐出部８が開いた状態でエマルジョン９が塗布され、更に本発明となる印刷スクリーン版６の前面基板１と接する下面に、ブラックストライプ５の間の非印刷セル間凹部１０に合致するように凸部パターン１１を設けている。尚、凸部パターン１１は非印刷セル間凹部１０よりも小さくしている。
【００１０】
上記凸部パターン１１を設けることで、従来の位置決めマーカーによる全体的な位置決めに加え、ブラックストライプ５の間の凹部１０を活用した入れ子方式により個別セル毎のペースト吐出位置ズレを防止するいう効果が得られる。従って、カラーフィルターの位置ズレの少ないカラープラズマディスプレーパネルの前面基板を提供することができる。
【００１１】
また、前記凸部がブラックストライプの一部に対応して形成してもよいし、またブラックストライプの両端に対応して形成してもよい、また間隔を空けて形成することもできる。
【００１２】
【発明の効果】
以上説明したように、本発明は、カラープラズマディスプレーパネルの前面基板の製造過程においてカラーフィルター形成時に、印刷スクリーン版の基板と接する下面に、ブラックストライプ間の非印刷セル間凹部に合致するように凸部を形成したスクリーン版を使用することにより、カラーフィルター形成パターンの基板とのズレを防止したことにある。
【図面の簡単な説明】
【図１】本発明の実施形態を示す概略図である。
【図２】従来例における概略図である。
【符号の説明】
１    前面基板
２    ガラス基板
３    電極
４    透明誘電体層
５    ブラックストライプ
６    印刷スクリーン版
７    メッシュ
８    ペースト吐出部
９    エマルジョン
１０    非印刷セル間凹部
１１    凸部パターン
【図１】
2004202778.tif 000003
【図２】
2004202778.tif 000004